(57)【特許請求の範囲】
【請求項１】
側面に集水口を開設し、該集水口にフィルター部材を装着した排水設備構成体であって、
前記フィルター部材が装着される側面には、前記フィルター部材が嵌合可能な嵌合凹部を形成し、該嵌合凹部の内部に前記集水口を開設し、
前記フィルター部材は、
前記集水口を被覆し、集水口への水の流入を許容する一方、舗装材の侵入を阻止する通水孔が開設されたフィルター本体と、
該フィルター本体の両側部に位置し、排水設備構成体の側面に止着される止着部と、を備え、
前記フィルター本体を止着部よりも排水設備構成体から離れる方向に凹ませて集水流入空間部を形成し、前記装着状態で集水口とフィルター本体との間に前記集水流入空間部が介在するように構成し、
該集水流入空間部の上部には、水を上面から受け入れて集水流入空間部へ流入可能とする集水流入口を開設すると共に、前記嵌合凹部の上部を上方へ開放して、当該集水流入口が前記舗装道路の路面に露出するようにし、
前記フィルター部材は、当該フィルター部材の集水流入口に、フィルター本体から排水設備構成体の側面に向けて延出する第１の支持部を一方の止着部側から他方の止着部側に亘って複数並んだ状態で備え、且つ、当該フィルター部材の集水流入口とは反対側の端部に、フィルター本体から排水設備構成体の側面に向けて延出する第２の支持部を一方の止着部側から他方の止着部側に亘って複数並んだ状態で備え、
隣り合う第１の支持部の間隔、及び、隣り合う第２の支持部の間隔を、水の流入を許容
する一方、舗装材の侵入を阻止する寸法に設定したことを特徴とする排水設備構成体。
【請求項２】
前記フィルター部材は、前記第１の支持部の集水流入空間部側の端部を、前記装着状態における集水口の開口縁よりも上方に位置させたことを特徴とする請求項１に記載の排水設備構成体。
【発明の詳細な説明】
【技術分野】
【０００１】
本発明は、舗装道路上の水が流れ込む側溝ブロックや集水桝等の排水設備構成体の側面に装着されるフィルター部材、このフィルター部材を装着した排水設備構成体、および、このフィルター部材や排水設備構成体を含んで構成される排水設備を備えた舗装道路の施工方法に関する。
【背景技術】
【０００２】
従来、舗装道路の路肩には、側溝ブロックや集水桝等の排水設備構成体で構成された排水設備を備え、舗装道路上の水（雨水など）を排水できるようになっている。また、近年では、透水性舗装材を舗装道路の表層として敷設して、舗装道路内に水を浸透させてから排水設備へ受け入れ可能とし、良好な排水機能を有する舗装道路（水捌けの良い舗装道路）を施工することが多くなっている。そして、排水設備構成体に開設された集水口には排水フィルターを装着し、該排水フィルターにより集水口への水の流入を許容する一方、舗装材の侵入を阻止することが提案されている（例えば、特許文献１参照）。
【先行技術文献】
【特許文献】
【０００３】
【特許文献１】特開２００４−１８３２１６号公報
【発明の概要】
【発明が解決しようとする課題】
【０００４】
ところで、舗装道路の排水設備においては、舗装道路内への水の浸透の可否に拘らず、排水経路の受入口を舗装道路と排水設備構成体との境界部分から舗装道路の路面に露出させれば、舗装道路上の水を迅速に排水設備構成体へ受け入れることができて好ましい。
【０００５】
また、舗装道路においては、所謂舗装痩せにより舗装道路の縁部が沈下して排水設備構成体との境界部分に段差が生じることがある。排水経路の受入口を舗装道路と排水設備構成体との境界部分に設定していない場合には、この段差に水が溜まってしまい、舗装道路の排水機能が低下してしまう。
【０００６】
本発明は、上記した事情に鑑みてなされたものであり、その目的は、舗装道路と排水設備構成体との境界部分に舗装道路の排水経路の入口を設定することができ、また、所謂舗装痩せが生じて舗装道路と排水設備構成体との境界部分に段差が生じたとしても、舗装道路の排水機能が低下してしまう不都合を抑制することができる排水設備のフィルター部材、このフィルター部材を装着した排水設備構成体、および、このフィルター部材や排水設備構成体を含んで構成される排水設備を備えた舗装道路の施工方法を提供しようとするものである。
【課題を解決するための手段】
【０００７】
本発明は、上記目的を達成するために提案されたものであり、請求項１に記載のものは、側面に集水口を開設し、該集水口にフィルター部材を装着した排水設備構成体であって、
前記フィルター部材が装着される側面には、前記フィルター部材が嵌合可能な嵌合凹部を形成し、該嵌合凹部の内部に前記集水口を開設し、
前記フィルター部材は、
前記集水口を被覆し、集水口への水の流入を許容する一方、舗装材の侵入を阻止する通水孔が開設されたフィルター本体と、
該フィルター本体の両側部に位置し、排水設備構成体の側面に止着される止着部と、を備え、
前記フィルター本体を止着部よりも排水設備構成体から離れる方向に凹ませて集水流入空間部を形成し、前記装着状態で集水口とフィルター本体との間に前記集水流入空間部が介在するように構成し、
該集水流入空間部の上部には、水を上面から受け入れて集水流入空間部へ流入可能とする集水流入口を開設すると共に、前記嵌合凹部の上部を上方へ開放して、当該集水流入口が前記舗装道路の路面に露出するようにし、
前記フィルター部材は、当該フィルター部材の集水流入口に、フィルター本体から排水設備構成体の側面に向けて延出する第１の支持部を一方の止着部側から他方の止着部側に亘って複数並んだ状態で備え、且つ、当該フィルター部材の集水流入口とは反対側の端部に、フィルター本体から排水設備構成体の側面に向けて延出する第２の支持部を一方の止着部側から他方の止着部側に亘って複数並んだ状態で備え、
隣り合う第１の支持部の間隔、及び、隣り合う第２の支持部の間隔を、水の流入を許容
する一方、舗装材の侵入を阻止する寸法に設定したことを特徴とする排水設備構成体である。
【０００９】
請求項２に記載のものは、前記フィルター部材は、前記第１の支持部の集水流入空間部側の端部を、前記装着状態における集水口の開口縁よりも上方に位置させたことを特
徴とする請求項１に記載の排水設備構成体である。
【発明の効果】
【００１７】
本発明によれば、以下のような優れた効果を奏する。
請求項１に記載の発明によれば、舗装道路上の水が流れ込む排水設備構成体の側面に装着されるフィルター部材には、排水設備構成体の側面に開設された集水口を被覆し、集水口への水の流入を許容する一方、舗装材の侵入を阻止する通水孔が開設されたフィルター本体と、該フィルター本体の両側部に位置し、排水設備構成体の側面に止着される止着部と、を備え、フィルター本体を止着部よりも排水設備構成体から離れる方向に凹ませて集水流入空間部を形成し、前記装着状態で集水口とフィルター本体との間に集水流入空間部が介在するように構成し、該集水流入空間部の上部には、水を上面から受け入れて集水流入空間部へ流入可能とする集水流入口を開設して、当該集水流入口が舗装道路の路面に露出するようにしたので、舗装道路と排水設備構成体との境界部分に舗装道路の排水経路の入口を設定することができる。したがって、舗装道路の表層が透水性であるか不透水性であるかに拘らず何れの場合においても、舗装道路上の水を迅速に排水設備構成体へ受け入れることができ、良好な排水機能を有する舗装道路を実現することができる。また、所謂舗装痩せにより舗装道路の縁部が沈下して排水設備構成体との境界部分に段差が生じたとしても、フィルター本体の上部に開設された通水孔がこの段差箇所に露出するため、舗装痩せ部分に溜まろうとする水を露出状態の通水孔へ通して排水設備構成体に受け入れることができる。これにより、舗装痩せ部分に水が溜まってしまうことがなく、舗装道路の排水機能が低下してしまう不都合を抑制することができる。さらに、フィルター部材が装着される側面には、フィルター部材が嵌合可能な嵌合凹部を形成し、該嵌合凹部の内部に集水口を開設したので、フィルター部材の位置決めが容易になり、フィルター部材の装着作業を迅速に行うことができる。また、フィルター部材が排水設備構成体の側面から大きく出っ張った状態で装着されずに済み、フィルター部材が障害物に当たって損傷したり、排水設備構成体から脱落したりする不都合を抑制することができる。さらに、嵌合凹部の上部を上方へ開放して、集水流入口を舗装道路の路面に露出させたので、フィルター部材を嵌合凹部に嵌合したとしても、舗装道路上の水を支障なく集水流入口へ受け入れることができる。
【００１８】
また、集水流入口には、フィルター本体から排水設備構成体の側面に向けて延出する第１の支持部を一方の止着部側から他方の止着部側に亘って複数並んだ状態で備え、隣り合う第１の支持部の間隔を、水の流入を許容する一方、舗装材の侵入を阻止する寸法に設定したので、舗装道路の施工時に舗装材がフィルター部材を排水設備構成体側へ押圧したとしても、集水流入口が潰れてしまう不都合を抑制することができ、舗装道路の排水機能を十分に確保することができる。
【００１９】
請求項２に記載の発明によれば、第１の支持部の集水流入空間部側の端部を、前記装着状態における集水口の開口縁よりも上方に位置させたので、フィルター部材内を流れる水の流路面積を下流側が上流側よりも広い状態に設定することができる。したがって、集水流入口から流れ込んだ水を滞りなく集水口へ流入させることができる。
【図面の簡単な説明】
【００２４】
【図１】フィルター部材を装着した側溝ブロックの説明図であり、（ａ）は正面図、（ｂ）は平面図、（ｃ）は側面図である。
【図２】フィルター部材の説明図であり、（ａ）は正面図、（ｂ）は平面図、（ｃ）は（ａ）のＡ−Ａ断面図である。
【図３】側溝ブロックを路肩に配置した舗装道路の施工手順の概略図であり、（ａ）は側溝ブロックを埋設する埋設穴を掘削する説明図、（ｂ）は埋設穴に基礎層を形成する説明図、（ｃ）は基礎層上に側溝ブロックを載置する説明図、（ｄ）は埋設穴と側溝ブロックとの隙間を埋める説明図、（ｅ）は側溝ブロックの側方を舗装する説明図である。
【図４】舗装道路の排水の流れを示す説明図である。
【図５】舗装痩せが発生した舗装道路の部分断面図である。
【図６】表層を不透水性舗装材で舗装した舗装道路の部分断面図である。
【図７】嵌合凹部にフィルター部材を嵌合した側溝ブロックの部分拡大図であり、（ａ）は正面図、（ｂ）は平面図、（ｃ）は断面図である。
【図８】断面が円形状の排水流路を備えた側溝ブロックの側面にフィルター部材を装着した状態の概略図であり、（ａ）は正面図、（ｂ）は側面図である。
【図９】上面が道路の境界として機能する側溝ブロックユニットの側面にフィルター部材を装着した状態の概略図である。
【図１０】上部が縁石として機能する側溝ブロックユニットの側面にフィルター部材を装着した状態の概略図であり、（ａ）は下側ブロックに排水流路を形成した場合の概略図、（ｂ）は下側ブロックおよび上側ブロックに排水流路を形成した場合の概略図である。
【図１１】側面に集水口が開設された集水桝の側面にフィルター部材を装着した状態の概略図である。
【図１２】Ｌ形側溝ブロックユニットの側面にフィルター部材を装着した状態の概略図であり、（ａ）はＬ形側溝に集水口を開設した場合の概略図、（ｂ）は排水桝に集水口を開設した場合の概略図である。
【図１３】路肩ブロックユニットの側面にフィルター部材を装着した状態の概略図であり、（ａ）は側面図、（ｂ）は背面図である。
【発明を実施するための形態】
【００２５】
以下、舗装道路の排水設備を構成する側溝ブロックを代表的な排水設備構成体として例に挙げて、本発明を実施するための形態を図面に基づいて説明する。
側溝ブロック１は、図１に示すように、底面部２と、該底面部２の左右両側縁から立設した左右の側壁部３とから概略構成されたコンクリート製の樋体であり、底面部２と両側壁部３とに囲まれた空部を排水流路４としている。また、両側壁部３の上部を下部よりも厚肉に設定するとともに、該上部の内側を切り欠いて蓋支持部６を形成し、両側壁部３の蓋支持部６の間に蓋材７を載置し、該蓋材７により排水流路４を上方から塞ぐように構成されている。
【００２６】
そして、側溝ブロック１の一側（図１（ａ）中、右側）に位置する側壁部３の上部には、排水流路４の上部に連通する集水路１０を側壁部３の厚さ方向に貫通し、集水路１０の上流開口となる集水口１１を側溝ブロック１の側壁部３の側面に開設し、側溝ブロック１の側方から集水口１１に流入した水が集水路１０を通って排水流路４へ流れるように構成されている。なお、集水路１０の下流部となる排水流路４側の部分は、蓋支持部６に形成された溝を蓋材７で上方から塞いで構成されており、蓋材７と側壁部３との隙間に入り込んで蓋支持部６上に到達した水が集水路１０の下流部に流入できるようになっている。
【００２７】
さらに、側溝ブロック１のうち集水口１１が開設された側壁部３の側面には、耐熱性材質（耐熱樹脂や金属等）で構成されたフィルター部材１２が集水口１１を塞ぐ状態で装着される。フィルター部材１２は、図２に示すように、格子状に形成されて複数の通水孔１４ａが開設された縦長平板状のフィルター本体１４と、該フィルター本体１４の両側部に位置する縦長短冊状の止着部１５とを備えて構成されており、当該フィルター部材１２の上縁部を側壁部３の上縁部に揃えた状態で装着される（図２（ａ）参照）。そして、フィルター本体１４を止着部１５よりも側溝ブロック１から離れる方向に凹ませて集水流入空間部１６を形成し（図２（ｃ）参照）、フィルター部材１２を側溝ブロック１の側面に装着した状態で集水口１１とフィルター本体１４との間に集水流入空間部１６が介在するように構成し、該集水流入空間部１６に連通する通水孔１４ａを、集水口１１への水の流入を許容する一方、後述する舗装道路Ｒ（図３（ｅ）参照）の舗装材（骨材）の侵入を阻止する開口広さに設定している。
【００２８】
また、集水流入空間部１６の上部には、当該集水流入空間部１６を上方へ開放する集水流入口１７を開設し、前記装着状態においては、集水流入口１７が舗装道路Ｒの路面に露出するように構成されている（図４参照）。さらに、図２（ｂ）および（ｃ）に示すように、集水流入口１７には、格子状のフィルター本体１４のうち縦向き仕切り部の上部からフィルター支持部１９（本発明における第１の支持部に相当）を側溝ブロック１の側面に向けて延出し、この側溝ブロック１の側面に当接可能としている。また、該フィルター支持部１９を一方の止着部１５側から他方の止着部１５側に亘って複数（本実施形態では５つ）並んだ状態で備え、隣り合うフィルター支持部１９の間隔を、水の流入を許容する一方、舗装道路Ｒの舗装材の侵入を阻止する寸法に設定している。
【００２９】
そして、集水流入空間部１６の下部には、当該集水流入空間部１６を下方へ開放するフィルター端部開口２２を集水流入口１７とは上下対称となる状態で開設している。また、フィルター端部開口２２には、格子状のフィルター本体１４のうち縦向き仕切り部の下部から延出して側溝ブロック１の側面に当接可能な開口支持部２３（本発明における第２の支持部に相当）を、フィルター支持部１９とは上下対称となる状態（詳しくは一方の止着部１５側から他方の止着部１５側に亘って複数（本実施形態では５つ）並んだ状態であり、且つ隣り合う開口支持部２３の間隔が水の流入を許容する一方、舗装道路Ｒの舗装材の侵入を阻止する寸法に設定された状態）で備えている。
【００３０】
さらに、図２（ｃ）に示すように、フィルター支持部１９の下端部（言い換えると、側溝ブロック１への装着状態で集水流入空間部１６側となる端部）を前記装着状態における集水口１１の開口縁よりも上方に位置させ、開口支持部２３の上端部（言い換えると、側溝ブロック１への装着状態で集水流入空間部１６側となる端部）を前記装着状態における集水口１１の開口縁よりも下方に位置させるように構成されている。
【００３１】
次に、側溝ブロック１で構成された側溝を路肩に備えた舗装道路Ｒの施工手順について、図３に基づき説明する。
まず、図３（ａ）に示すように、路床３０に、側溝ブロック１を複数個並べて埋設するための溝状の埋設穴３１を側溝ブロック１の幅（長手方向とは直交する方向に沿う幅）よりも広い幅で掘削する（穴掘削工程）。さらに、図３（ｂ）に示すように、この埋設穴３１の底部にコンクリートを打設して、側溝ブロック１が載置される基礎層３２を形成する（基礎層形成工程）。基礎層形成工程においては、基礎層３２を上面が側溝の下流側に設けられる集水桝（図示せず）へ向けて下り傾斜する状態で打設し、側溝ブロック１を基礎層３２上へ載置すると排水流路４が集水桝へ向けて下り傾斜するように構成する。
【００３２】
埋設穴３１内に基礎層３２を形成したならば、基礎層３２上に敷モルタル３３を敷設し、この敷モルタル３３上に複数の側溝ブロック１を載置する（側溝ブロック載置工程（本発明における構成体載置工程に相当））。具体的に説明すると、側溝ブロック載置工程においては、複数の側溝ブロック１を排水流路４が埋設穴３１の長手方向に沿って延在した姿勢であり、尚且つ蓋支持部６が側溝ブロック１の上側に位置する姿勢とする。また、蓋支持部６に蓋材７を載置して排水流路４を上方から覆う。なお、蓋材７を載置する作業は、側溝ブロック１を基礎層３２上に載置する前に行ってもよいが、側溝ブロック載置工程で側溝ブロック１を吊り上げる最中に蓋材７が落下する虞があるため、基礎層３２上への載置後に実行することが好適である。
【００３３】
側溝ブロック１を基礎層３２上に載置したならば、図３（ｃ）に示すように、側壁部３にフィルター部材１２の止着部１５を両面テープや接着剤などの止着材を用いて止着して、図１（ａ）に示すように、側溝ブロック１にフィルター部材１２を各上縁が揃う状態で装着し、集水口１１を側溝ブロック１の側方から覆う（フィルター装着工程）。側溝ブロック１に装着されたフィルター部材１２は、側壁部３のうち集水口１１よりも上方に位置する部分にフィルター支持部１９を当接し、集水口１１よりも下方に位置する部分に開口支持部２３を当接する（図２（ａ）参照）。また、集水口１１とフィルター本体１４との間には集水流入空間部１６を位置させ、該集水流入空間部１６を介して通水孔１４ａと集水口１１とが連通する。さらに、集水流入空間部１６の上部に開設された集水流入口１７が側溝ブロック１の上縁に揃う状態で位置する。
【００３４】
なお、フィルター装着工程においては、図３（ｃ）に示すように、埋設穴３１の上側開口縁（言い換えると路床３０の表面）が集水口１１の下縁部よりも下方に位置すれば、路床３０が邪魔にならずにフィルター部材１２を装着し易くなるが、本発明はこれに限定されない。要は、フィルター部材１２を側溝ブロック１に装着できれば、埋設穴３１の上側開口縁と集水口１１の上下位置関係はどのように設定してもよい。
【００３５】
側溝ブロック１にフィルター部材１２を装着して集水口１１を覆ったならば、埋設穴３１と側溝ブロック１との間隙を土砂やコンクリートなどで埋め戻す（図３（ｄ）参照）。そして、側溝ブロック１の側方に砕石やアスファルト合材等の舗装材を複数層に分けて敷設する（舗装工程）。具体的には、図３（ｅ）に示すように、路床３０の表面に砕石等の舗装材を路盤３６（下層路盤３６ａおよび上層路盤３６ｂ）として敷設し、路盤３６の表面には、不透水性舗装材を基層３７として敷設し、基層３７の表面をフィルター部材１２側へ向けて緩やかに下り傾斜した状態に設定し、基層３７の表面の傾斜下端を集水流入空間部１６の側方であり、且つ集水口１１よりも上方に位置させる。さらに、基層３７の表面には透水性舗装材を表層３８として敷設し、該表層３８の表面（言い換えると、舗装道路Ｒの路面）を側溝ブロック１側へ緩やかに下り傾斜した状態であり、且つ傾斜下端が側壁部３の上縁に揃うように設定する。
【００３６】
また、舗装工程では、側溝ブロック１と舗装材との間に前記装着状態のフィルター部材１２を介在させ、このフィルター部材１２の集水流入口１７を舗装道路Ｒの路面に露出させる。したがって、舗装道路Ｒと側溝ブロック１との境界部分に舗装道路Ｒの排水経路の入口を設定することができる。そして、フィルター部材１２は、フィルター支持部１９を側壁部３へ当接しているので、舗装道路Ｒの施工時に舗装材がフィルター部材１２を側溝ブロック１側へ押圧したとしても、集水流入口１７が潰れてしまう不都合を抑制することができ、舗装道路Ｒの排水機能を十分に確保することができる。さらに、フィルター本体１４の通水孔１４ａの開口寸法、および集水流入口１７のフィルター支持部１９同士の離間距離を、水の流入を許容する一方、舗装材の侵入を阻止する寸法に設定しているので、施工時に舗装材がフィルター部材１２を通って集水口１１に侵入してしまう不都合がない。
【００３７】
このようにして施工された舗装道路Ｒにおいては、雨が降る等して路面に水が溜まろうとすると、この水は、図４に示すように、表層（透水性舗装材）３８の内部に浸透して基層（不透水性舗装材）３７の傾斜上面まで到達し、この傾斜上面を側溝ブロック１側に向かって流下する。そして、表層（透水性舗装材）３８と側溝ブロック１との間に介在するフィルター部材１２の通水孔１４ａを通って集水流入空間部１６に流入し、さらには集水口１１、集水路１０を通って排水流路４に排水される。また、大雨が降る等して水が表層３８の内部に浸透しきれない場合には、表層３８上の水が側溝ブロック１側に向かって流れる。このとき、舗装道路Ｒと側溝ブロック１との境界部分に舗装道路Ｒの排水経路の入口を設定しているので、舗装道路Ｒ上の水を迅速に集水流入口１７に流入させることができ、さらには集水流入空間部１６へ流下させ、集水口１１、集水路１０に通して側溝ブロック１の排水流路４へ受け入れることができる。したがって、良好な排水機能を有する舗装道路Ｒ（水捌けのよい舗装道路Ｒ）を実現することができる。
【００３８】
また、図５に示すように、所謂舗装痩せにより舗装道路Ｒの表層３８の縁部（側溝ブロック１側の縁部）が沈下して側溝ブロック１との境界部分に段差が生じることが考えられる。しかしながら、この段差が生じたとしても、フィルター本体１４の上部に開設された通水孔１４ａがこの段差箇所に露出するため、舗装痩せ部分に溜まろうとする水を露出状態の通水孔１４ａへ通して側溝ブロック１に受け入れることができる。これにより、舗装痩せ部分に水が溜まってしまうことがなく、舗装道路Ｒの排水機能が低下してしまう不都合を抑制することができる。
【００３９】
さらに、側溝ブロック１に装着された状態のフィルター部材１２は、図２（ａ）に示すように、フィルター支持部１９の集水流入空間部１６側の端部を集水口１１の開口縁よりも上方に位置させたので、フィルター部材１２内を流れる水の流路面積を下流側が上流側よりも広い状態に設定することができる。したがって、集水流入口１７から流れ込んだ水を滞りなく集水口１１へ流入させることができる。また、フィルター部材１２には、集水流入口１７とは上下対称の構成となるフィルター端部開口２２を開設し、該フィルター端部開口２２には、フィルター支持部１９とは上下対称の構成となる開口支持部２３を備えたので、フィルター部材１２を上下逆にして側溝ブロック１に装着したとしても、フィルター端部開口２２を水の受入口として機能させることができ、舗装道路Ｒの排水機能が損なわれてしまうことがない。したがって、フィルター部材１２を装着し直さずに済ませることができる。
【００４０】
なお、フィルター部材１２は、舗装道路Ｒの施工現場で側溝ブロック１を基礎層３２に載置する前に予め装着してもよい。すなわち、舗装道路Ｒの施工を開始する前にフィルター部材１２の装着を行えば、舗装道路Ｒの施工においてはフィルター装着工程を実行しなくてもよい。また、舗装道路Ｒの施工現場でフィルター部材１２を側溝ブロック１に装着することに限定されない。例えば、工場において側溝ブロック１にフィルター部材１２を装着し、この状態で出荷された側溝ブロック１を舗装道路Ｒの施工現場に搬入してもよい。
【００４１】
ところで、上記実施形態では、表層３８として透水性舗装材を敷設した舗装道路Ｒを例示したが、本発明はこれに限定されない。例えば、図６に示すように、フィルター部材１２が装着された側溝ブロック１の側方に、水が内部に浸透しない舗装道路Ｒ、具体的には、基層３７から表層３８までを不透水性舗装材で構成した舗装道路Ｒを施工し、不透水性舗装材と側溝ブロック１との間から集水流入口１７を路面に露出させてもよい。このような不透水性の舗装道路Ｒにおいては、雨が降る等して路面に水が溜まろうとすると、この水は、路面に沿って側溝ブロック１側に向かって流れる。このとき、舗装道路Ｒと側溝ブロック１との境界部分に舗装道路Ｒの排水経路の入口を設定しているので、舗装道路Ｒ上の水を迅速に集水流入口１７に流入させることができ、さらには集水流入空間部１６へ流下させ、集水口１１、集水路１０に通して側溝ブロック１の排水流路４へ受け入れることができる。したがって、水が内部に浸透しない舗装道路Ｒであったとしても、良好な排水性を実現することができる。
【００４２】
また、不透水性の舗装道路Ｒにおいて、所謂舗装痩せにより表層３８の縁部（側溝ブロック１側の縁部）が沈下して側溝ブロック１との境界部分に段差が生じたとしても、フィルター本体１４の上部に開設された通水孔１４ａがこの段差箇所に露出するため、舗装痩せ部分に溜まろうとする水を露出状態の通水孔１４ａへ通して側溝ブロック１に受け入れることができる。これにより、舗装痩せ部分に水が溜まってしまうことがなく、舗装道路Ｒの排水機能が低下してしまう不都合を抑制することができる。
【００４３】
ところで、上記実施形態の側溝ブロック１では、側面にフィルター部材１２が嵌合される凹み部を形成していないが、本発明はこれに限定されない。例えば、図７に示すように、側溝ブロック１のうちフィルター部材１２が装着される側面に、フィルター部材１２が嵌合可能な嵌合凹部４１を形成し、該嵌合凹部４１の内部に集水口１１を開設してもよい。さらには、嵌合凹部４１の上部を上方へ開放して、フィルター部材１２の集水流入口１７を舗装道路Ｒの路面に露出させてもよい。フィルター部材１２を嵌合凹部４１へ嵌合して側溝ブロック１に装着すれば、フィルター部材１２の位置決めが容易になり、フィルター部材１２の装着作業を迅速に行うことができる。しかも、フィルター部材１２が側溝ブロック１の側面から大きく出っ張った状態で装着されずに済み、フィルター部材１２が障害物に当たって損傷したり、側溝ブロック１から脱落したりする不都合を抑制することができる。また、嵌合凹部４１の上部開放箇所から集水流入口１７を舗装道路Ｒの路面に露出させるので、フィルター部材１２を嵌合凹部４１に嵌合したとしても、舗装道路Ｒ上の水を支障なく集水流入口１７へ受け入れることができる。
【００４４】
ところで、上記各実施形態では、排水設備構成体として、断面が矩形状の排水流路４を備えた側溝ブロック１を例示したが、本発明はこれに限定されない。例えば、図８に示すように、断面が円形状の排水流路４を備えた側溝ブロック１の側面にフィルター部材１２を装着して集水口を覆ってもよい。また、図９〜図１１に示すように、上下に重なる状態で配置されるブロック（上側ブロック４５および下側ブロック４６）を組み合わせて側溝ブロックユニット４７とし、上側ブロック４５と下側ブロック４６とを上下に離間して集水路４９および集水口５０を設定し、この集水口５０を塞ぐ状態でフィルター部材１２を側溝ブロックユニット４７の側面に装着してもよい。
【００４５】
なお、図９に示すように、上側ブロック４５の上面を舗装道路Ｒの路面に揃えて配置し、上側ブロック４５の上面が道路の境界、例えば自転車専用道路ＲＢと自動車専用道路ＲＭとの境界として機能するようにしてもよい。また、図１０に示すように、上側ブロック４５の上部を舗装道路Ｒの路面から突出させて縁石として機能するようにしてもよい。さらに、側溝ブロックユニット４７内に形成される排水流路５１は、下側ブロック４６の上面のみを凹ませて形成してもよいし（図９および図１０（ａ）参照）、下側ブロック４６の上面および上側ブロック４５の下面を凹ませて形成してもよい（図１０（ｂ）参照）。そして、図１１に示す側溝ブロックユニット（Ｌ形側溝ブロックユニット）４７のように、上側ブロック４５の下面を切り欠いて集水路４９を形成することにより、上側ブロック４５の側面に集水口５０を開設し、この集水口５０を覆う状態でフィルター部材１２を装着してもよいし（図１１（ａ）参照）、または、下側ブロック４６の上面を切り欠いて集水路４９を形成することにより、下側ブロック４６の側面に集水口５０を開設し、この集水口５０を覆う状態でフィルター部材１２を装着してもよい（図１１（ｂ）参照）。
【００４６】
さらに、本発明におけるフィルター部材が装着される排水設備構成体は、側溝を形成する構成体であることに限定されない。要は、舗装道路Ｒ上の水を受け入れるための集水口が側面に開設された排水設備構成体であればよい。例えば、図１２に示すように、側溝の下流端に接続される集水桝５４のうち舗装道路Ｒ側の側面に集水口５６を開設し、該集水口５６を覆う状態でフィルター部材１２を装着してもよい。また、図１３に示すように、路肩ブロック５８と、該路肩ブロック５８を載置する基礎層５９および敷モルタル６０とで路肩部６１を構成し、該路肩部６１には集水路６２を舗装道路Ｒ側から路肩部６１の側方へ貫通するとともに舗装道路Ｒ側の側面に集水口６３を開設し、該集水口６３を覆う状態でフィルター部材１２を装着してもよい。さらに、上記各実施形態におけるフィルター部材１２は、上下対称となる構成を成しているが、本発明はこれに限定されない。要は、集水流入空間部の上部に集水流入口を開設し、この集水流入口が舗装道路の路面に露出すれば、フィルター部材の構成が上下対称であるか否かは問わない。例えば、フィルター部材の下部を閉塞して、上下非対称の構成に設定してもよい。
【００４７】
なお、上記フィルター部材が装着される排水設備構成体を用いて排水設備を施工する場面は、新規に排水設備を施工する場面でもよいし、既存の排水設備を改めて施工し直す維持管理工事の場面でもよい。
【符号の説明】
【００４８】
１  側溝ブロック
２  底面部
３  側壁部
４  排水流路
６  蓋支持部
７  蓋材
１０  集水路
１１  集水口
１２  フィルター部材
１４  フィルター本体
１４ａ  通水孔
１５  止着部
１６  集水流入空間部
１７  集水流入口
１９  フィルター支持部
２２  フィルター端部開口
２３  開口支持部
３０  路床
３１  埋設穴
３２  基礎層
３３  敷モルタル
３６  路盤
３６ａ  下層路盤
３６ｂ  上層路盤
３７  基層
３８  表層
４１  嵌合凹部
４５  上側ブロック
４６  下側ブロック
４７  側溝ブロックユニット
４９  集水路
５０  集水口
５１  排水流路
５４  集水桝
５６  集水口
５８  路肩ブロック
５９  基礎層
６０  敷モルタル
６１  路肩部
６２  集水路
６３  集水口
【図１】
0005828144.tif 000002
【図２】
0005828144.tif 000003
【図３】
0005828144.tif 000004
【図４】
0005828144.tif 000005
【図５】
0005828144.tif 000006
【図６】
0005828144.tif 000007
【図７】
0005828144.tif 000008
【図８】
0005828144.tif 000009
【図９】
0005828144.tif 000010
【図１０】
0005828144.tif 000011
【図１１】
0005828144.tif 000012
【図１２】
0005828144.tif 000013
【図１３】
0005828144.tif 000014